(57)【要約】【課題】より好適な条件で洗濯を行うことのできる給湯装置を提供する。【解決手段】給湯装置１０は、貯湯タンク３０と、湯温センサ７３と、熱交換器４０と、制御装置７０とを備える。湯温センサ７３は、浴槽５０内の湯水の温度を検出する。熱交換器は、浴槽５０に貯められた湯水と貯湯タンク３０内の給湯水との間で熱交換を行う。制御装置７０は、追い焚き運転及び風呂熱回収運転の少なくとも一方の実行により、浴槽５０内の湯水の温度を、通常の衣類の洗濯に適した通常洗濯用目標温度に調整する通常洗濯用温調運転と、浴槽５０内の湯水の温度を、ウールを含む衣類の洗濯に適したウール洗濯用目標温度に調整するウール洗濯用温調運転とを選択的に実行する。【選択図】図１
2017198359.tif 000002
【特許請求の範囲】
【請求項１】
給湯水を貯める貯湯タンク（３０）と、
浴槽（５０）内の湯水の温度を検出する温度検出部（７３）と、
前記浴槽に貯められた湯水と前記貯湯タンク内の給湯水との間で熱交換を行う熱交換器（４０）と、
前記熱交換器を用いることにより前記貯湯タンク内の給湯水の有する熱で前記浴槽内の湯水の温度を上昇させる追い焚き運転、及び前記熱交換器を用いて前記浴槽内の湯水の有する熱を前記貯湯タンク内の給湯水に回収させる風呂熱回収運転を行うことにより前記浴槽内の湯水の温度を調整する制御部（７０）と、を備え、
前記制御部は、
前記追い焚き運転及び前記風呂熱回収運転の少なくとも一方の実行により、前記温度検出部により検出される前記浴槽内の湯水の温度を、通常の衣類の洗濯に適した通常洗濯用目標温度に調整する通常洗濯用温調運転と、
前記追い焚き運転及び前記風呂熱回収運転の少なくとも一方の実行により、前記温度検出部により検出される前記浴槽内の湯水の温度を、特定の素材を含む衣類の洗濯に適した通常外洗濯用目標温度に調整する通常外洗濯用温調運転と、を選択的に実行する
給湯装置。
【請求項２】
前記特定の素材は、ウールであり、
前記通常外洗濯用目標温度は、ウールを含む衣類の洗濯に適したウール洗濯用目標温度であり、
前記通常外洗濯用温調運転は、前記浴槽内の湯水の温度を前記ウール洗濯用目標温度に調整するウール洗濯用温調運転である
請求項１に記載の給湯装置。
【請求項３】
前記通常洗濯用温調運転の実行と、前記通常外洗濯用温調運転の実行とを選択可能な操作部（８０）を更に備える
請求項１又は２に記載の給湯装置。
【請求項４】
前記操作部は、前記通常洗濯用目標温度を入力可能に構成されている
請求項３に記載の給湯装置。
【請求項５】
前記操作部は、前記通常外洗濯用目標温度を入力可能に構成されている
請求項３に記載の給湯装置。
【請求項６】
前記操作部は、前記通常洗濯用温調運転及び前記通常外洗濯用温調運転のそれぞれの実行開始時刻を入力可能に構成されている
請求項３〜５のいずれか一項に記載の給湯装置。
【請求項７】
前記通常洗濯用目標温度は、４０℃に設定されている
請求項１又は２に記載の給湯装置。
【請求項８】
前記ウール洗濯用目標温度は、３０℃に設定されている
請求項２に記載の給湯装置。
【発明の詳細な説明】
【技術分野】
【０００１】
本発明は、給湯装置に関する。
【背景技術】
【０００２】
従来、浴槽の残り湯を再利用するためのシステムとして、特許文献１に記載のシステムがある。特許文献１に記載のシステムは、湯供給配管と、送液手段と、水圧調整機能部と、流路切替弁と、制御部とを備えている。送液手段は、浴槽の残り湯を湯供給配管を介して洗濯機やトイレ等の家庭内水廻り器具に供給する。水圧調整機能部は、浴槽から洗濯機等に供給される残り湯の水圧を調整する。制御部は、流路切替部を制御することにより、指定された家庭内水廻り器具に、残り湯を供給する。
【先行技術文献】
【特許文献】
【０００３】
【特許文献１】特開２００１−３２１２８６号公報
【発明の概要】
【発明が解決しようとする課題】
【０００４】
ところで、洗濯機に用いられる湯水の温度が高温であるほど、基本的には、洗剤の洗浄力が高まる。そのため、浴槽から洗濯機に供給される残り湯の温度は高温である方が望ましい。但し、洗剤の種類によっては、湯水の温度が４３°程度で固化し始める。したがって、浴槽から洗濯機に供給される残り湯の温度が４３℃以上になると、洗剤の洗浄力が低下する可能性がある。
【０００５】
また、ウール系の素材を含むセータ等の衣類を洗濯する場合には、３０℃を超える高温の湯水を用いると、生地が縮むおそれがある。この場合には、浴槽から洗濯機に供給される残り湯の温度を３０℃程度に抑えないと、衣類の品質が損なわれる可能性がある。
【０００６】
本発明は、こうした実情に鑑みてなされたものであり、その目的は、より好適な条件で洗濯を行うことのできる給湯装置を提供することにある。
【課題を解決するための手段】
【０００７】
上記課題を解決するために、給湯装置（１０）は、貯湯タンク（３０）と、温度検出部（７３）と、熱交換器（４０）と、制御部（７０）と、を備える。貯湯タンクは、給湯水を貯める。温度検出部は、浴槽（５０）内の湯水の温度を検出する。熱交換器は、浴槽に貯められた湯水と貯湯タンク内の給湯水との間で熱交換を行う。制御部は、熱交換器を用いることにより貯湯タンク内の給湯水の有する熱で浴槽内の湯水の温度を上昇させる追い焚き運転、及び熱交換器を用いて浴槽内の湯水の有する熱を貯湯タンク内の給湯水に回収させる風呂熱回収運転を行うことにより浴槽内の湯水の温度を調整する。制御部は、追い焚き運転及び風呂熱回収運転の少なくとも一方の実行により、温度検出部により検出される浴槽内の湯水の温度を、通常の衣類の洗濯に適した通常洗濯用目標温度に調整する通常洗濯用温調運転と、追い焚き運転及び風呂熱回収運転の少なくとも一方の実行により、温度検出部により検出される浴槽内の湯水の温度を、特定の素材を含む衣類の洗濯に適した通常外洗濯用目標温度に調整する通常外洗濯用温調運転と、を選択的に実行する。
【０００８】
この構成によれば、通常洗濯用温調運転の実行時には、浴槽内の湯水の温度が、通常の衣類の洗濯に適した通常洗濯用目標温度に調整されるため、より適切に通常の衣類を洗濯することができる。また、通常外洗濯用温調運転の実行時には、浴槽内の湯水の温度が、特定の素材を含む衣類の洗濯に適した通常外洗濯用目標温度に調整される。これにより、通常の衣類を洗濯する場合、及び特定の素材を含む衣類を洗濯する場合のいずれの場合でも、浴槽内の湯水が衣類に応じた適切な温度に調整される。よって、浴槽内の湯水を洗濯機に移して洗濯を行う際に、より好適な条件で洗濯を行うことが可能となる。
【０００９】
なお、上記手段、及び特許請求の範囲に記載の括弧内の符号は、後述する実施形態に記載の具体的手段との対応関係を示す一例である。
【発明の効果】
【００１０】
本発明によれば、より好適な条件で洗濯を行うことができる。
【図面の簡単な説明】
【００１１】
【図１】実施形態の給湯装置の概略構成を示すブロック図である。
【図２】実施形態の給湯装置の電気的な構成を示すブロック図である。
【図３】実施形態の給湯装置の湯張り運転時の動作例を示すブロック図である。
【図４】実施形態の給湯装置により実行される通常洗濯用温調運転時の処理の手順を示すフローチャートである。
【図５】実施形態の給湯装置の風呂熱回収運転時の動作例を示すブロック図である。
【図６】実施形態の給湯装置の追い焚き運転時の動作例を示すブロック図である。
【図７】実施形態の給湯装置により実行されるウール洗濯用温調運転時の処理の手順を示すフローチャートである。
【発明を実施するための形態】
【００１２】
以下、給湯装置の一実施形態について説明する。
図１に示されるように、本実施形態の給湯装置１０は、浴槽５０に湯水を供給する装置である。給湯装置１０は、熱源機２０と、貯湯タンク３０と、熱交換器４０とを備えている。熱源機２０は、給湯水を加熱するものである。貯湯タンク３０は、熱源機２０により加熱された給湯水を貯めるものである。熱交換器４０は、貯湯タンク３０に貯められた給湯水と浴槽５０内の湯水とを熱交換させるものである。浴槽５０は、ユーザが入浴するための湯水を貯めておくものである。
【００１３】
熱源機２０は、図示しない圧縮機、水−冷媒熱交換器、減圧器、及び室外熱交換器により構成される蒸気圧縮式の冷凍サイクルを有している。圧縮機、水−冷媒熱交換器、減圧器、及び室外熱交換器は、冷媒の流れる配管を介してこの順で環状に接続されている。圧縮機は、冷媒を圧縮する。水−冷媒熱交換器は、圧縮機から吐出された高圧冷媒と、貯湯タンク３０に貯められた給湯水とを熱交換させることで給湯水を加熱する放熱器として機能する。減圧器は、水−冷媒熱交換器から流出した冷媒を減圧させる。室外熱交換器は、減圧器により減圧された低圧冷媒と外気とを熱交換させることで低圧冷媒を蒸発させる蒸発器として機能する。
【００１４】
熱源機２０の水−冷媒熱交換器は、高圧冷媒を流通させる冷媒通路と、給湯水を流通させる水通路とを有している。この水通路の入口側には、入口側給湯水配管６０ａを介して、貯湯タンク３０の下方側に設けられた下方側流入出口３０ａが接続されている。水通路の出口側には、出口側給湯水配管６０ｄを介して、第１三方継手６１ａの１つの流入出口が接続されている。
【００１５】
入口側給湯水配管６０ａには、給水配管６０ｂ、及びバイパス配管６０ｃが接続されている。給水配管６０ｂは、貯湯タンク３０内へ水道水を供給する配管である。バイパス配管６０ｃは、貯湯タンク３０の下方側の給湯水又は水道水を、熱源機２０を迂回させて後述する三方弁６２側へ導く配管である。
【００１６】
入口側給湯水配管６０ａには、沸上用水ポンプ６３ａが配置されている。沸上用水ポンプ６３ａは、貯湯タンク３０の下方側の給湯水あるいは水道水を熱源機２０に圧送する電動式の水ポンプである。沸上用水ポンプ６３ａは、逆流防止機能を有している。したがって、沸上用水ポンプ６３ａが停止した場合でも、第１三方継手６１ａ側から熱源機２０に給湯水が逆流することはない。なお、沸上用水ポンプ６３ａの吐出口側等に同様の機能を有する逆止弁を配置してもよい。
【００１７】
出口側給湯水配管６０ｄに接続された第１三方継手６１ａの別の流入出口には、熱交換器４０の給湯水側通路４０ａの入口側、並びに三方弁６２の１つの流入出口が接続されている。さらに、三方弁６２の別の流入出口には、貯湯タンク３０の上方側に設けられた上方側流入出口３０ｂ、並びにバイパス配管６０ｃの出口側が接続されている。
【００１８】
三方弁６２は、給湯水が流れる給湯水流路を切り替えるものである。具体的には、三方弁６２は、貯湯タンク３０の下方側流入出口３０ａと第１三方継手６１ａとを接続する給湯水流路、及び貯湯タンク３０の上方側流入出口３０ｂと第１三方継手６１ａとを接続する給湯水流路を切り替える機能を果たす。
【００１９】
貯湯タンク３０は、耐食性に優れたステンレス等の金属により中空円柱状に形成されている。より具体的には、貯湯タンク３０は、軸方向が略鉛直方向に延びる縦長形状に形成されている。貯湯タンク３０は、外周を断熱材で覆う断熱構造あるいは二重タンクによる真空断熱構造等を有しており、高温の給湯水を長時間保温しながら貯湯することができる。
【００２０】
ここで、熱源機２０において加熱された給湯水は、第１三方継手６１ａ及び三方弁６２を介して、貯湯タンク３０の上方側流入出口３０ｂから貯湯タンク３０内へ流入する。したがって、貯湯タンク３０内の給湯水には、上方側から下方側へ向かって、温度が徐々に低下する温度分布が生じやすい。
【００２１】
貯湯タンク３０には、上述した下方側流入出口３０ａ及び上方側流入出口３０ｂの他に、上方側流出口３０ｃ、中間側流出口３０ｄ、及び中間側流入口３０ｅが設けられている。上方側流出口３０ｃは、貯湯タンク３０内に貯められた給湯水のうち上方側の高温の給湯水を流出させる部分である。中間側流出口３０ｄは、貯湯タンク３０内に貯められた給湯水のうち上下方向中間部位の中間温度の給湯水を流出させる部分である。中間側流入口３０ｅは、熱交換器４０の給湯水側通路４０ａから流出した給湯水を貯湯タンク３０内の上下方向中間部位へ流入させる部分である。
【００２２】
なお、図１では、図示の明確化のために、中間側流出口３０ｄが中間側流入口３０ｅよりも上方側に配置された例を示しているが、これに限定されることなく、中間側流出口３０ｄが中間側流入口３０ｅよりも下方側に配置されていてもよい。さらに、中間側流出口３０ｄと中間側流入口３０ｅとが略同等の高さで配置されていてもよい。
【００２３】
貯湯タンク３０の上方側流出口３０ｃには、温度調整弁６４ａの一方の流入口が接続されている。温度調整弁６４ａの他方の流入口は、中間側流出口３０ｄに接続されている。温度調整弁６４ａは、上方側流出口３０ｃから流出した給湯水と中間側流出口３０ｄから流出した給湯水との混合比率を調整することにより、下流側に流出させる給湯水の温度を調整する。
【００２４】
より詳細には、温度調整弁６４ａは、上方側流出口３０ｃから流出した高温の給湯水を流通させる通路の通路断面積と、中間側流出口３０ｄから流出した中間温度の給湯水を流通させる通路の通路断面積とを同時に変化させる弁体、及びこの弁体を変位させる電動アクチュエータを有する三方式の流量調整弁により構成されている。この電動アクチュエータは、制御装置７０から出力される制御信号によって、その作動が制御される。
【００２５】
さらに、本実施形態の温度調整弁６４ａは、高温の給湯水を流通させる通路及び中間温度の給湯水を流通させる通路のうち、一方の通路を全開として他方の通路を全閉とすることもできる。
【００２６】
温度調整弁６４ａの出口側には、浴槽用温度調整弁６４ｂの一方の流入口が接続されている。浴槽用温度調整弁６４ｂの基本的な構成は、温度調整弁６４ａと同様である。浴槽用温度調整弁６４ｂの他方の流入口には、給水配管６０ｂが接続されている。したがって、浴槽用温度調整弁６４ｂは、温度調整弁６４ａから流出した給湯水と水道水との混合比率を調整して、下流側に流出させる給湯水の温度を調整するものである。
【００２７】
浴槽用温度調整弁６４ｂから流出した湯水は、浴槽用の湯水として、浴槽用水循環回路６０ｅを介して、浴槽５０へ供給される。従って、浴槽用温度調整弁６４ｂは、浴槽５０へ供給される湯水の温度を調整する。
【００２８】
より具体的には、浴槽用温度調整弁６４ｂの出口側には、浴槽用開閉弁６５を介して、浴槽用水循環回路６０ｅに配置された第２三方継手６１ｂの一つの流入出口が接続されている。浴槽用開閉弁６５は、浴槽用温度調整弁６４ｂの出口側と浴槽用水循環回路６０ｅとを接続する浴槽用配管６０ｆを開閉する。
【００２９】
浴槽用水循環回路６０ｅは、浴槽５０内と熱交換器４０の浴槽用湯側通路４０ｂとの間で浴槽用湯を循環させる水循環回路である。浴槽用水循環回路６０ｅには、浴槽用水ポンプ６３ｂが配置されている。浴槽用水ポンプ６３ｂの基本的構成は、沸上用水ポンプ６３ａと同様である。浴槽用水ポンプ６３ｂは、浴槽５０の上下方向中間位置に設けられた浴槽用湯吸入口から浴槽用湯を吸入して浴槽用湯側通路４０ｂへ圧送する。
【００３０】
浴槽用水ポンプ６３ｂの吐出口側には、第２三方継手６１ｂの別の流入出口が接続されている。第２三方継手６１ｂのさらに別の流入出口には、浴槽用湯側通路４０ｂの入口側が接続されている。浴槽用湯側通路４０ｂの出口側には、浴槽５０の下方側に配置された浴槽用湯吐出口が接続されている。
【００３１】
なお、本実施形態の温度調整弁６４ａの出口側には、図示しないシャワー用温度調整弁、蛇口用温度調整弁等が、浴槽用温度調整弁６４ｂに対して並列的に接続されている。これらのシャワー用温度調整弁及び蛇口用温度調整弁は、それぞれ温度調整弁６４ａから流出した給湯水と水道水とを混合させて、ユーザの所望の温度となった給湯水をシャワー、蛇口等の給湯端末へ供給することができる。
【００３２】
熱交換器４０は、給湯水側通路４０ａと、浴槽用湯側通路４０ｂとを有している。給湯水側通路４０ａには、第１三方継手６１ａから流出した給湯水が流通している。浴槽用湯側通路４０ｂには、浴槽用水循環回路６０ｅを循環する浴槽用の湯水が流通している。熱交換器４０は、給湯水側通路４０ａを流通する給湯水と浴槽用湯側通路４０ｂを流通する浴槽用湯とを熱交換させるものである。熱交換器４０は、給湯水側通路４０ａを流通する給湯水の流れ方向と浴槽用湯側通路４０ｂを流通する浴槽用湯の流れ方向が対向流となる対向流型の構造を有している。
【００３３】
給湯水側通路４０ａの出口側には、給湯水側通路４０ａから流出した給湯水を貯湯タンク３０の中間側流入口３０ｅへ圧送する給湯水ポンプ６３ｃが配置されている。給湯水ポンプ６３ｃの基本的構成は、沸上用水ポンプ６３ａと同様である。
【００３４】
次に、給湯装置１０の電気的な構成について説明する。
図２に示されるように、給湯装置１０は、制御装置７０と、水位センサ７１と、タンク内温度センサ７２と、湯温センサ７３と、外気温センサ７４と、操作部８０とを備えている。
【００３５】
図１に示されるように、水位センサ７１は、浴槽用水循環回路６０ｅの浴槽用湯吸入口近傍に配置されている。水位センサ７１は、浴槽用水循環回路６０ｅの浴槽用湯吸入口近傍の水圧の変化等を検出し、検出された水圧の変化等に基づいて浴槽５０内の湯水の量を検出する。
【００３６】
タンク内温度センサ７２は、貯湯タンク３０内に上下方向に並んで配置された複数個の温度センサにより構成されている。タンク内温度センサ７２は、貯湯タンク３０内に貯められた給湯水の温度を検出する。
【００３７】
湯温センサ７３は、浴槽用水循環回路６０ｅに配置されている。湯温センサ７３は、浴槽５０内に貯められた湯水が浴槽用水循環回路６０ｅを流れている状態で、浴槽用水循環回路６０ｅを流れる湯水の温度を検出することにより、浴槽５０内の湯水の温度ＴＢを検出する。本実施形態では、湯温センサ７３が温度検出部に相当する。
【００３８】
外気温センサ７４は、熱源機２０の室外熱交換器にて低圧冷媒と熱交換する外気温を検出するものである。
【００３９】
操作部８０は、ユーザにより操作されるリモコン装置等である。図２に示されるように、操作部８０には、給湯装置１０の動作状態を表示する表示部８１と、ユーザにより操作されるスイッチ８２とが設けられている。
【００４０】
各種スイッチ８２としては、作動スイッチ８２０、湯張りスイッチ８２１、浴槽用温度設定スイッチ８２２、通常洗濯用温調スイッチ８２３、ウール洗濯用温調スイッチ８２４、洗濯用温度設定スイッチ８２５等が設けられている。
【００４１】
作動スイッチ８２０は、給湯装置１０を作動又は停止させる際に操作される。湯張りスイッチ８２１は、浴槽５０の湯張り運転を実行する際に操作される。浴槽用温度設定スイッチ８２２は、浴槽５０内の湯水の目標温度ＴＢＯを設定する際に操作される。通常洗濯用温調スイッチ８２３は、浴槽５０内の湯水の温度を、通常の衣類の洗濯に適した通常洗濯用目標温度ＴＢ１＊に調整する際に操作される。ウール洗濯用温調スイッチ８２４は、浴槽５０内の湯水の温度を、ウールを含む衣類の洗濯に適したウール洗濯用目標温度ＴＢ２＊に調整する際に操作される。洗濯用温度設定スイッチ８２５は、通常洗濯用目標温度ＴＢ１＊及びウール洗濯用目標温度ＴＢ２＊を変更する際に操作される。本実施形態では、ウールが特定の素材に相当する。また、ウール洗濯用目標温度ＴＢ２＊が、通常外洗濯用目標温度に相当する。
【００４２】
各センサ７１〜７４の検出信号、及び操作部８０の操作信号は、制御装置７０に取り込まれている。制御装置７０は、ＣＰＵ７０Ａやメモリ７０ｂ、タイマ７０ｃ等を有するマイクロコンピュータを中心に構成されている。本実施形態では、制御装置７０が制御部に相当する。
【００４３】
制御装置７０は、操作部８０の作動スイッチ８２０がオン操作されると、メモリ７０ｂに記憶されている制御プログラムを実行する。これにより、制御装置７０は、各センサ７１〜７４の検出信号及び操作部８０の操作信号に基づいて、熱源機２０、沸上用水ポンプ６３ａ、三方弁６２、温度調整弁６４ａ、及び浴槽用開閉弁６５の動作を制御することにより、給湯装置１０の各種運転を実行する。具体的には、制御装置７０は、沸上運転、湯張り運転、通常洗濯用温調運転、及びウール洗濯用温調運転等を選択的に実行する。以下、各運転の詳細について説明する。
【００４４】
（ａ）沸上運転
沸上運転は、加熱された給湯水を貯湯タンク３０内に貯めるために実行される。沸上運転では、制御装置７０が、熱源機２０及び沸上用水ポンプ６３ａを作動させる。また、制御装置７０は、第１三方継手６１ａと貯湯タンク３０の上方側流入出口３０ｂとを接続するように三方弁６２の作動を制御する。
【００４５】
したがって、沸上運転では、図１に矢印で示されるように、貯湯タンク３０の下方側流入出口３０ａから流出した給湯水あるいは水道水が、沸上用水ポンプ６３ａに吸入されて熱源機２０へ圧送され、加熱される。
【００４６】
熱源機２０から流出した高温の給湯水は、第１三方継手６１ａ及び三方弁６２を介して、貯湯タンク３０の上方側流入出口３０ｂへ流入する。これにより、貯湯タンク３０内の上方側に高温の給湯水が貯められる。この際、沸上運転では、給湯水ポンプ６３ｃが停止しているため、給湯水ポンプ６３ｃの逆流防止機能により、第１三方継手６１ａから熱交換器４０側へ給湯水が流出することはない。
【００４７】
制御装置７０は、タンク内温度センサ７２により検出された貯湯タンク３０内の上方側の給湯水の温度が基準沸上温度以上となるまで沸上運転を継続する。基準沸上温度は、例えば９０℃に設定されている。
【００４８】
（ｂ）湯張り運転
制御装置７０は、沸上運転が完了している状態で、操作部８０の湯張りスイッチ８２１のオン操作を検出すると、湯張り運転を実行する。制御装置７０は、湯張り運転の実行に伴い、浴槽用開閉弁６５を開くとともに、温度調整弁６４ａ及び浴槽用温度調整弁６４ｂの作動を制御する。
【００４９】
より具体的には、制御装置７０は、温度調整弁６４ａから流出する給湯水が、操作部８０により設定された最高出湯温度となるように、温度調整弁６４ａの作動を制御する。最高出湯温度は、例えば６０℃に設定されている。また、制御装置７０は、浴槽５０内に流出する湯水の温度が、浴槽用温度設定スイッチ８２２により設定された目標温度ＴＢＯとなるように、浴槽用温度調整弁６４ｂの作動を制御する。目標温度ＴＢＯは、例えば４１℃に設定されている。
【００５０】
湯張り運転では、図３に矢印で示されるように、水道水の水圧により貯湯タンク３０の上方側流出口３０ｃから流出した高温の給湯水と中間側流出口３０ｄから流出した中間温度の給湯水が、温度調整弁６４ａにて混合される。さらに、温度調整弁６４ａから流出した給湯水と水道水とが、浴槽用温度調整弁６４ｂにて混合される。
【００５１】
浴槽用温度調整弁６４ｂから流出した給湯水は、第２三方継手６１ｂを介して、浴槽用水循環回路６０ｅへ流入する。浴槽用水循環回路６０ｅへ流入した給湯水は、熱交換器４０の浴槽用湯側通路４０ｂを介して、浴槽５０内に貯められる。この際、湯張り運転では、給湯水ポンプ６３ｃが停止しているため、浴槽用湯側通路４０ｂを流通する給湯水が熱交換器４０にて加熱あるいは冷却されることはない。
【００５２】
制御装置７０は、水位センサ７１により検出される浴槽５０内の湯水の量が、予め定められた基準湯量となるまで湯張り運転を継続する。
【００５３】
（ｃ）通常洗濯用温調運転
制御装置７０は、水位センサ７１により検出される浴槽５０内の湯水の量が所定量以上である場合、操作部８０の通常洗濯用温調スイッチ８２３のオン操作を検出すると、通常洗濯用温調運転を実行する。通常洗濯用温調運転は、浴槽５０内の残り湯の温度を通常の衣類の洗濯に適した温度に調整するために実行される。通常の衣類とは、ウールを含まない衣類を示す。
【００５４】
具体的には、制御装置７０は、図４に示される処理を所定の周期で実行している。図４に示されるように、制御装置７０は、まず、ステップＳ１０として、通常洗濯用温調スイッチ８２３がオン操作されたか否かを判断する。制御装置７０は、通常洗濯用温調スイッチ８２３がオン操作されていない場合には、ステップＳ１０で否定判断し、本処理を終了する。
【００５５】
制御装置７０は、通常洗濯用温調スイッチ８２３がオン操作されている場合には、ステップＳ１１として、湯温センサ７３により、浴槽５０内に貯められた湯水の温度ＴＢを取得する。次に、制御装置７０は、ステップＳ１２として、湯水の温度ＴＢが通常洗濯用目標温度ＴＢ１＊であるか否かを判断する。通常洗濯用目標温度ＴＢ１＊の初期値は、例えば４０℃に設定されており、制御装置７０のメモリ７０ｂに予め記憶されている。また、ユーザは、操作部８０の洗濯用温度設定スイッチ８２５を操作することにより、通常洗濯用目標温度ＴＢ１＊を任意に変更することができる。
【００５６】
制御装置７０は、湯水の温度ＴＢが通常洗濯用目標温度ＴＢ１＊でない場合には、ステップＳ１２で否定判断し、ステップＳ１３として、湯水の温度ＴＢが通常洗濯用目標温度ＴＢ１＊よりも高いか否かを判断する。制御装置７０は、湯水の温度ＴＢが通常洗濯用目標温度ＴＢ１＊よりも高い場合には、ステップＳ１３で肯定判断し、ステップＳ１４として、風呂熱回収運転を実行する。風呂熱回収運転は、熱交換器４０を用いて浴槽５０内の湯水の有する熱を貯湯タンク３０内の給湯水に回収させる運転モードである。
【００５７】
具体的には、制御装置７０は、風呂熱回収運転の実行に伴い、図５に示されるように貯湯タンク３０の下方側流入出口３０ａと第１三方継手６１ａとを接続するように三方弁６２の作動を制御するとともに、給湯水ポンプ６３ｃおよび浴槽用水ポンプ６３ｂを作動させる。
【００５８】
したがって、風呂熱回収運転では、図５に実線の矢印で示されるように、貯湯タンク３０の下方側流入出口３０ａから流出した低温の給湯水が、バイパス配管６０ｃ、三方弁６２、及び第１三方継手６１ａを介して、熱交換器４０の給湯水側通路４０ａへ流入する。また、図５に破線の矢印で示されるように、浴槽用水ポンプ６３ｂから圧送された湯水が、浴槽用湯側通路４０ｂへ流入する。
【００５９】
熱交換器４０では、給湯水側通路４０ａを流通する低温の給湯水と浴槽用湯側通路４０ｂを流通する湯水とが熱交換することで、給湯水の温度が上昇し、浴槽用湯側通路４０ｂを流通する湯水の温度が低下する。
【００６０】
給湯水側通路４０ａから流出した給湯水は、給湯水ポンプ６３ｃに吸入されて、中間側流入口３０ｅから貯湯タンク３０内へ流入する。これにより、浴槽５０内の湯水の有する熱が貯湯タンク３０内に回収される。浴槽用湯側通路４０ｂから流出した湯水は、浴槽５０内へ戻る。
【００６１】
なお、風呂熱回収運転では、沸上用水ポンプ６３ａが停止しているため、沸上用水ポンプ６３ａの逆流防止機能により、第１三方継手６１ａから熱源機２０へ給湯水が流出することはない。また、浴槽用開閉弁６５が閉じているため、浴槽用水ポンプ６３ｂから圧送された浴槽用湯が浴槽用温度調整弁６４ｂ側へ逆流してしまうことはない。
【００６２】
図４に示されるように、制御装置７０は、ステップＳ１３で否定判断した場合、すなわち湯水の温度ＴＢが通常洗濯用目標温度ＴＢ１＊よりも低い場合には、ステップＳ１５として、追い焚き運転を実行する。追い焚き運転では、熱交換器４０を用いることにより、貯湯タンク３０内の給湯水の有する熱で浴槽５０内の湯水の温度を上昇させる運転モードである。
【００６３】
具体的には、制御装置７０は、追い焚き運転の実行に伴い、図６に示されるように、第１三方継手６１ａと貯湯タンク３０の上方側流入出口３０ｂとを接続するように三方弁６２の作動を制御するとともに、給湯水ポンプ６３ｃ及び浴槽用水ポンプ６３ｂを作動させる。
【００６４】
したがって、追い焚き運転では、図６に実線の矢印で示されるように、上方側流入出口３０ｂから流出した高温の給湯水が、三方弁６２および第１三方継手６１ａを介して、熱交換器４０の給湯水側通路４０ａへ流入する。給湯水側通路４０ａへ流入した高温の給湯水は、浴槽用湯側通路４０ｂを流通する湯水に放熱する。
【００６５】
給湯水側通路４０ａから流出した給湯水は、給湯水ポンプ６３ｃへ吸入されて中間側流入口３０ｅから貯湯タンク３０内へ流入する。この際、追い焚き運転では、沸上用水ポンプ６３ａが停止しているため、沸上用水ポンプ６３ａの逆流防止機能により、第１三方継手６１ａから熱源機２０へ給湯水が流出することはない。
【００６６】
また、図６に破線の矢印で示されるように、浴槽用水ポンプ６３ｂから圧送された湯水が熱交換器４０の浴槽用湯側通路４０ｂへ流入する。浴槽用湯側通路４０ｂへ流入した湯水は、給湯水側通路４０ａを流通する高温の給湯水から吸熱する。これにより、浴槽用湯側通路４０ｂを通過する湯水が加熱される。この際、追い焚き運転では、浴槽用開閉弁６５が閉じているため、浴槽用水ポンプ６３ｂから圧送された湯水が浴槽用温度調整弁６４ｂ側へ逆流してしまうことはない。
【００６７】
図４に示されるように、制御装置７０は、ステップＳ１４の風呂熱回収運転、あるいはステップＳ１５の追い焚き運転を実行した後、ステップＳ１２に戻る。したがって、制御装置７０は、浴槽５０内の湯水の温度ＴＢが通常洗濯用目標温度ＴＢ１＊に調整されるまで、ステップＳ１４の風呂熱回収運転、及びステップＳ１５の追い焚き運転の少なくとも一方を実行することになる。
【００６８】
制御装置７０は、風呂熱回収運転及び追い焚き運転の少なくとも一方の実行により浴槽５０内の湯水の温度ＴＢが通常洗濯用目標温度ＴＢ１＊に調整されると、ステップＳ１２で肯定判断し、本処理を終了する。
【００６９】
（ｄ）ウール洗濯用温調運転
制御装置７０は、水位センサ７１により検出される浴槽５０内の湯水の量が所定量以上である場合、操作部８０のウール洗濯用温調スイッチ８２４のオン操作を検出すると、ウール洗濯用温調運転を実行する。ウール洗濯用温調運転は、浴槽５０内の残り湯の温度を、ウールを含む衣類の洗濯に適した温度に調整するために実行される。本実施形態では、ウール洗濯用温調運転が、通常外洗濯温調運転に相当する。
【００７０】
具体的には、制御装置７０は、図７に示される処理を所定の周期で実行する。図７に示されるステップＳ２０〜Ｓ２５の処理は、図４に示されるステップＳ１０〜Ｓ１５の処理において、通常洗濯用温調スイッチ８２３に代えてウール洗濯用温調スイッチ８２４を用いるとともに、通常洗濯用目標温度ＴＢ１＊に代えてウール洗濯用目標温度ＴＢ２＊を用いた処理である。すなわち、図７に示される処理は、図４に示される処理に類似する処理であるため、その詳細な説明は割愛する。
【００７１】
なお、ウール洗濯用目標温度ＴＢ２＊の初期値は、例えば３０℃に設定されており、制御装置７０のメモリ７０ｂに予め記憶されている。また、ユーザは、操作部８０の洗濯用温度設定スイッチ８２５を操作することにより、ウール洗濯用目標温度ＴＢ２＊を任意に変更することができる。
【００７２】
以上説明した本実施形態の給湯装置１０によれば、以下の（１）〜（５）に示される作用及び効果を得ることができる。
【００７３】
（１）通常洗濯用温調運転の実行時には、浴槽５０内の湯水の温度ＴＢが、通常の衣類の洗濯に適した通常洗濯用目標温度ＴＢ１＊に調整されるため、より適切に通常の衣類を洗濯することができる。また、ウール洗濯用温調運転の実行時には、浴槽５０内の湯水の温度が、ウールを含む衣類の洗濯に適したウール洗濯用目標温度ＴＢ２＊に調整される。これにより、通常の衣類を洗濯する場合、及びウールを含む衣類を洗濯する場合のいずれの場合でも、浴槽５０内の湯水が衣類に応じた適切な温度に調整される。よって、浴槽５０内の湯水を洗濯機に移して洗濯を行う際に、より好適な条件で洗濯を行うことができる。
【００７４】
（２）給湯装置１０は、通常洗濯用温調運転の実行と、ウール洗濯用温調運転の実行とを選択可能な操作部８０を備えている。これにより、ユーザは、洗濯機で洗濯する衣類の素材に合わせて、通常洗濯用温調運転とウール洗濯用温調運転とを操作部８０の操作により任意に選択することができる。よって、利便性を向上させることができる。
【００７５】
（３）通常洗濯用目標温度ＴＢ１＊は４０℃に設定されている。これにより、浴槽５０内の湯水の温度を、洗濯機に投入される洗剤が固化し難い範囲で、できる限り高い温度に高い温度に設定することができる。したがって、洗剤の洗浄力を高く維持することができるため、通常の衣類をより適切に洗濯することができる。
【００７６】
（４）ウール洗濯用目標温度ＴＢ２＊は３０℃に設定されている。これにより、浴槽５０内の湯水の温度を、ウールに縮みが発生し難い範囲で、できる限り高い温度に設定することができる。これにより、ウールを含む衣類の品質を確保しつつ、ウールを含む衣類をより好適に洗濯することができる。
【００７７】
（５）操作部８０は、通常洗濯用目標温度ＴＢ１＊及びウール洗濯用目標温度ＴＢ２＊を入力可能に構成されている。これにより、ユーザは、操作部８０の操作により通常洗濯用目標温度ＴＢ１＊及びウール洗濯用目標温度ＴＢ２＊を任意に変更することができるため、利便性を向上させることができる。
【００７８】
なお、上記実施形態は、以下の形態にて実施することもできる。
・操作部８０は、通常洗濯用温調運転及びウール洗濯用温調運転のそれぞれの実行開始時刻を入力可能に構成されていてもよい。具体的には、図２に破線で示されるように、操作部８０にタイマ設定スイッチ８２６を別途設ける。タイマ設定スイッチ８２６は、通常洗濯用温調運転の実行開始時刻、及びウール洗濯用温調運転の実行開始時刻を入力する際に操作される。制御装置７０は、操作部８０の操作信号に基づいて通常洗濯用温調運転及びウール洗濯用温調運転のそれぞれの実行開始時刻の情報を取得する。制御装置７０は、タイマ７０ｃに基づいて通常洗濯用温調運転の実行開始時刻になったと判断した場合には、図４に示されるステップＳ１１〜Ｓ１５の処理を実行する。また、制御装置７０は、タイマ７０ｃに基づいてウール洗濯用温調運転の実行開始時刻になったと判断した場合には、図７に示されるステップＳ２１〜Ｓ２５の処理を実行する。このような構成によれば、ユーザが操作部８０において設定した時刻になると、通常洗濯用温調運転及びウール洗濯用温調運転が自動的に実行されるため、利便性を更に向上させることができる。
【００７９】
・湯温センサ７３の位置は適宜変更可能である。例えば湯温センサ７３は、浴槽５０内の湯水の温度を直接検出することができるように、浴槽５０に設けられていてもよい。
【００８０】
・制御装置７０は、ウール洗濯用目標温度ＴＢ２＊に代えて、シルク等の特定の素材を含む衣類の洗濯に適した通常外洗濯用目標温度を用いてもよい。この場合、制御装置７０は、ウール洗濯用温調運転に代えて、浴槽５０内の残り湯の温度を、特定の素材を含む衣類の洗濯に適した温度に調整する通常外洗濯用温調運転を行えばよい。
【００８１】
・制御装置７０が提供する手段及び／又は機能は、実体的なメモリ７０ｂに記憶されたソフトウェア及びそれを実行するコンピュータ、ソフトウェアのみ、ハードウェアのみ、あるいはそれらの組み合わせにより提供することができる。例えば制御装置７０がハードウェアである電子回路により提供される場合、それは多数の論理回路を含むデジタル回路、またはアナログ回路により提供することができる。
【００８２】
・本発明は上記の具体例に限定されるものではない。すなわち、上記の具体例に、当業者が適宜設計変更を加えたものも、本発明の特徴を備えている限り、本発明の範囲に包含される。例えば、前述した各具体例が備える各要素及びその配置や条件等は、例示したものに限定されるわけではなく適宜変更することができる。また、前述した実施形態が備える各要素は、技術的に可能な限りにおいて組み合わせることができ、これらを組み合わせたものも本発明の特徴を含む限り本発明の範囲に包含される。
【符号の説明】
【００８３】
１０：給湯装置
３０：貯湯タンク
４０：熱交換器
５０：浴槽
７０：制御装置（制御部）
７３：湯温センサ（温度検出部）
８０：操作部
【図１】
2017198359.tif 000003
【図２】
2017198359.tif 000004
【図３】
2017198359.tif 000005
【図４】
2017198359.tif 000006
【図５】
2017198359.tif 000007
【図６】
2017198359.tif 000008
【図７】
2017198359.tif 000009